(57)【要約】  時間、場所、および追跡される通行経路に従うプロパティで、検出される存在者を特徴付けることによって、空間内の状態を監視するのに使用されるシステムおよび方法。存在者として検出された侵入者は、テナント、資産管理スタッフ、および訪問者から区別される。状態を示す警告がトリガされたときに、選択された受信ノードに信号およびメッセージを送信することが提供される。収集されたセンサデータがしきい値に準拠しないなどの状態が、他のデバイスによって送受信される。エレベータ制御システムは、システムが状態の検出に対して信号を送ったときの、トリガされた警告に対する可能な受信ノードの１つである。
2017513152.tif 000002
【特許請求の範囲】
【請求項１】
居住者および少なくとも１人の訪問者としての、１人または複数のユーザに関連して、アパートメントまたは家屋内で、
通信ペアリングを介して、ネットワークに接続される監視デバイスと１つまたは複数のユーザのモバイルデバイスとの間の通信リンクを確立することと、
監視デバイスを介して、１つまたは複数のユーザのモバイルデバイスおよびユーザの識別エンティティの信号を受信することと、
前記監視デバイスとのペアリングおよびペアリング切断と、対応する固有の識別子とを含む、ユーザのモバイルデバイスのペアリング記録を受信することと、
ある場所に配置されたビーコンとのペアリングおよびペアリング切断と、対応する固有の識別子とを含む、ユーザのモバイルデバイスのペアリング記録を受信することと、
セットバック環境属性を前記監視デバイスに送信することと、
前記データをメモリに記録することと、
警報動作を作動／作動停止することと、
警告をトリガすることと、
ユーザのモバイルデバイスの地理位置データを受信して処理することと、
を備える、空間内の状態を監視する方法。
【請求項２】
前記方法が、
前記監視デバイスから最短距離に配置されている通常は閉じているドアの開閉を検出した後で、ビーコンを介してある場所のユーザのモバイルデバイスまたは識別エンティティを検出すること、または、
時刻に基づいて訪問期間の経過を検出すること、または、
前記監視デバイスとのペアリング切断を含む、ユーザのモバイルデバイスから送信されるペアリング記録を受信すること、または、
居住者としてのユーザの複数の時間ログのうちで最小のユーザ時間ログが予め設定されたしきい値を超えていると検出することと、
状態信号を生成することと、
前記状態信号を居住者としてのユーザのモバイルデバイスに送信し、経過した訪問期間を再開するための許可を要求することと、
前記状態信号を前記監視デバイスに送信することと、
を備え、警報動作の作動停止中に処理システムがプリングイベントを検出する、請求項１に記載の空間内の状態を監視する方法。
【請求項３】
前記方法が、
前記状態信号を受信すること、または、
前記通常は閉じているドアの開閉を検出すること、または、
ユーザのモバイルデバイスとのペアリング切断を検出することと、
訪問者としてのユーザのモバイルデバイスと同時にペアリングされている場合に、訪問期間の経過時にスピーカを介して音声メッセージを一斉送信することと、
２次状態信号を生成することと、
選択されたユーザのモバイルデバイスに前記２次状態信号を送信することと、
現在の訪問期間が有効であり、居住者としてのユーザのモバイルデバイスまたは訪問者としてのユーザのモバイルデバイスから予め設定された期間内に応答メッセージを受信せずに、前記２次状態信号を前記処理システムに送信することと、
現在の訪問期間が有効でなく、居住者としてのユーザのモバイルデバイスから予め設定された期間内に応答メッセージを受信せずに、前記２次状態信号を前記処理システムに送信することと、
を備え、警報動作の作動停止中に前記監視デバイスがプリングイベントを検出する、請求項１および２に記載の空間内の状態を監視する方法。
【請求項４】
前記方法が、
前記２次状態信号を受信することと、
前記２次状態信号に対して作動状態信号を生成することと、
警報動作を作動させることと、
前記作動状態信号を前記監視デバイスに送信することと、
を備え、前記処理システムが警報動作を作動させる、請求項１、２、および３に記載の空間内の状態を監視する方法。
【請求項５】
前記方法が、
前記作動状態信号に対して無効化信号を生成することと、
前記無効化信号を
（ａ）作動中の電気デバイスに送信し、前記電気デバイスが前記２次状態信号を受信して予め設定された期間内に作動停止すること、および／または
（ｂ）中継スレーブに送信し、前記中継スレーブが前記２次状態信号を受信して、作動中の電力接続されたシステムを予め設定された期間内に作動停止することと、
加えて、セットバック環境属性を予め設定された頻度で前記処理システムから受信すること、または、
一日のある期間にわたり有効な前記セットバック環境属性を前記処理システムから受信して前記メモリに記憶することと、
環境センサから収集された環境属性データが前記有効なセットバック環境属性よりも上または下であるかを決定することと、
前記収集された環境属性データが前記有効なセットバック環境属性よりも上または下である場合に信号を送信することとを備え、
前記中継スレーブが前記信号を受信して、接続されたシステムを作動もしくは作動停止するか、または、電気デバイスが前記信号を受信して作動もしくは作動停止することと、
を備え、前記監視デバイスが前記作動状態信号を受信する、請求項１および４に記載の空間内の状態を監視する方法。
【請求項６】
前記方法が、
居住者としてのユーザのモバイルデバイスから送信された、経過した訪問期間の再開を許可するメッセージを受信することと、
ユーザのモバイルデバイスから送信された、前記監視デバイスとのペアリングを含むペアリング記録を受信すること、または、
居住者としてのユーザの複数の時間ログのうちで最小のユーザ時間ログが予め設定されたしきい値を下回ることを検出することと、
対応する予測されたユーザの到着時刻を含む前記最小のユーザ時間ログを前記監視デバイスに送信することと、
を備え、警報動作の作動中に前記処理システムがプッシングイベントを検出する、請求項１に記載の空間内の状態を監視する方法。
【請求項７】
前記方法が、
存在を検出すること、または、
前記通常は閉じているドアの開閉を検出すること、または、
ユーザのモバイルデバイスとのペアリングを検出することと、
リターン信号を生成することと、
選択されたユーザのモバイルデバイスに前記リターン信号を送信することと、
現在の訪問期間が有効であり、居住者としてのユーザのモバイルデバイスまたは訪問者としてのユーザのモバイルデバイスから予め設定された期間内に応答メッセージを受信し、前記リターン信号を前記処理システムに送信することと、
現在の訪問期間が有効でなく、居住者としてのユーザのモバイルデバイスから予め設定された期間内に応答メッセージを受信し、前記リターン信号を前記処理システムに送信することと、
を備える、請求項１、２、および６に記載の空間内の状態を監視する方法。
【請求項８】
前記方法が、
前記リターン信号を受信することと、
前記警報動作を作動停止することと、
を備え、警報動作の作動中に前記監視デバイスがプッシングイベントを検出する、請求項１、６、および７に記載の空間内の状態を監視する方法。
【請求項９】
前記方法が、
一日のうちの選択された期間内で、予測されたユーザの到着時刻または有効な訪問期間を含む前記ユーザ時間ログからの期間内に、前記通常は閉じているドアの開閉が検出されたときに、前記リターン信号を、
（ａ）作動停止中の電気デバイスに送信し、前記電気デバイスが前記リターン信号を受信して作動すること、および／または
（ｂ）中継スレーブに送信し、前記中継スレーブが前記リターン信号を受信して、電力接続された作動停止中のシステムを予め設定された期間内に作動させることと、
をさらに備える、請求項１、６、および７に記載の空間内の状態を監視する方法。
【請求項１０】
警報動作の作動中に前記処理システムが警告をトリガする方法であって、
前記監視デバイスが、存在を検出するかまたは前記通常は閉じているドアの開閉を検出することと、
前記監視デバイスが、居住者としてのユーザのモバイルデバイスまたは訪問者としてのユーザのモバイルデバイスから前記予め設定された時間の期間内に応答メッセージを受信しないことと、
を備え、現在の訪問期間が有効であり、前記監視デバイスが居住者としてのユーザのモバイルデバイスまたは訪問者としてのユーザのモバイルデバイスと現在時にペアリングされず、
前記監視デバイスが、存在を検出するかまたは訪問者としてのユーザのモバイルデバイスとのペアリングを検出することと、
前記監視デバイスが、居住者としてのユーザのモバイルデバイスから前記予め設定された期間内に応答メッセージを受信しないか、または、前記処理システムが、居住者としてのユーザのモバイルデバイスから送信される、経過した訪問時間の期間の再開を許可するメッセージを、予め設定された時間の期間内に受信しないことと、
を備え、現在の訪問時間の期間が有効ではなく、
前記監視デバイスが、前記通常は閉じているドアの開閉を検出することと、
前記監視デバイスが、居住者としてのユーザのモバイルデバイスまたは訪問者としてのユーザのモバイルデバイスと現在ペアリングされておらず、居住者としてのユーザのモバイルデバイスから前記予め設定された期間内に応答メッセージを受信しないことと、
を備え、現在の訪問時間の期間が有効ではなく、
前記監視デバイスが、存在を検出するか、または前記通常は閉じているドアの開閉を検出することと、
前記監視デバイスが、訪問者としてのユーザのモバイルデバイスと現在ペアリングされていないことと、
を備え、居住者としてのユーザの複数の時間ログのうちで最小のユーザ時間ログが前記予め設定されたしきい値を超え、かつ現在の訪問期間が有効ではなく、
前記監視デバイスが２次状態信号を生成して前記処理システムに送信することと、
前記処理システムが警告をトリガすることと、
を備える、請求項１、２、３、６、および７に記載の空間内の状態を監視する方法。
【請求項１１】
警報動作の作動停止中に前記処理システムが警告をトリガする方法であって、
倉庫または金庫を含む通常は閉じているデバイスの開閉を検出することに関連して、前記通常は閉じているドアの開閉の検出後、予め設定された期間内に、前記監視デバイスから送信された信号／データを受信することと、
前記監視デバイスのパルサから送信され途絶された信号／データを受信することと、
を備える、請求項１および１０に記載の空間内の状態を監視する方法。
【請求項１２】
ユーザのモバイルデバイスによって追跡された居住者としてのユーザの地理位置と、
前記地理位置に従った場所の住所と、
前記監視デバイスとペアリングしている前記ユーザのモバイルデバイスの前記時刻で前記予測されたユーザ到着時刻と、
をさらに含む、請求項２、６、および９に記載のユーザ時間ログ。
【請求項１３】
居住者としてのユーザの移動方向および速度と、
居住者としてのユーザに関連するリードタイム継続時間と、
をさらに備える、請求項６、９、および１２に記載の予測されたユーザの到着時刻。
【請求項１４】
ある場所に配置されたビーコンの固有の識別子を取得することと、
ビーコンとのペアリングおよびペアリング切断を含むユーザのモバイルデバイスのペアリング記録を記録することと、
前記場所に関する質問をユーザに提供することと、
前記質問に対してユーザから提供された回答をテキストおよび／または音声で取得することと、
前記場所の、前記地理位置およびユーザの活動を含む、少なくとも１つの特性に関係する少なくとも１つのパターンを導出することと、
前記居住者としてのユーザの、ある場所における典型的／平均的な滞在時間を予測することと、
をさらに備える、請求項１３に記載のリードタイム継続時間。
【請求項１５】
少なくとも１人のスタッフと少なくとも１人の訪問者とを少なくとも含む複数のユーザに関係する建物内の状態を処理システムによって監視する方法であって、
通信ペアリングを介して、１つまたは複数のユーザのモバイルデバイス、スタッフデジタルデバイスとの通信リンクを確立することと、
管理権限に従って警報動作を作動および作動停止することと、
ある場所に配置された複数のビーコンとのペアリングおよびペアリング切断と、前記複数のビーコンに対応する固有の識別子とを含むペアリング記録を、スタッフデジタルデバイスから受信することと、
少なくとも１つの監視デバイスおよび複数の場所に配置された、１つまたは複数のビーコンとのペアリングおよびペアリング切断と、前記監視デバイスおよび前期複数のビーコンに対応する固有の識別子とを含むペアリング記録を、ユーザのモバイルデジタルデバイスから受信することと、
時刻の予め設定された期間内、または警告メッセージを受信してから予め設定された期間内に、１つまたは複数の異なるビーコンとのペアリングを含まない、スタッフとしてのユーザのデジタルデバイスのペアリング記録に従って、警告をトリガすることと、
警報動作の作動中に、検出されたイベントに従って警告をトリガすることと、
を備える、建物内の状態を監視する方法。
【請求項１６】
建物領域内での存在の継続時間が予め設定された期間を超えて長引くことと、
通常は閉じているドアが予め設定された移動期間内に開閉されないことと、
２つの追跡されたユーザの通行経路が、通常は閉じている１つのドアを通って入るために合流することと、
を備える、請求項１５に記載の検出されたイベント。
【請求項１７】
前記方法が、
エンティティに対応する活動信号を生成し、前記エンティティが、
（ａ）開閉を検出するドアセンサが配置された通常は閉じているドアと、
（ｂ）停止するエレベータのかごに対応する、停止フロア上に配置されたエレベータドアと、
（ｃ）存在を検出する存在センサと、を含むことと、
加えて、建物領域内で検出される存在に対応する選択された活動信号に対して２次活動信号を生成することと、
前記２次活動信号を記録し、現在の時刻を報告時間として定義することと、
前記報告時間から、前記２次活動信号に関連する前記存在センサから最短距離に配置されたエンティティに対応する活動信号の時刻まで開始する移動継続時間を、クロック／タイマを用いてカウントすることと、
移動継続時間が前記予め設定された期間を超えることに従って警告をトリガすることと、
をさらに備え、
前記２次活動信号に関連する前記存在センサが、
（ａ）ドア、エレベータドア、もしくは駐車場出口から最短距離でなく配置されていること、または、
（ｂ）対応する活動信号がないドアもしくはエレベータドアから最短距離に配置されていること、または、
（ｃ）前記建物領域の床面高さに停止したエレベータのかごに乗客が乗っていない状態で前記エレベータのかごが出発することに対応する活動信号があるエレベータドアから最短距離に配置されていること、
を備える、請求項１５および１６に記載の方法。
【請求項１８】
前記方法が、
建物の入口をユーザの通行経路の開始ポイントとして定義することと、
通常は閉じているドアを、ユーザの通行経路の最終ポイントのドアとして定義することと、
ユーザが最終ポイントの前記ドアへと通行するための開始時間として、時刻に従って時間を記録することと、
前記開始時間と、最終ポイントの前記ドアに従って特徴付けられる前記予め設定された移動期間とに基づいて、最終ポイントの前記ドアに前記ユーザが到着することに関連する到着時刻を予測することと、
最終ポイントの前記ドアが前記予め設定された移動期間の経過後に開閉しないことを検出し、警告をトリガすることと、
をさらに備える、請求項１６に記載の方法。
【請求項１９】
前記方法が、
通常は閉じているドアの開閉が検出される前の最短期間内に生成された、第１のエンティティに対応する活動信号を選択することと、
前のエンティティに対応する、前記第１のエンティティから最短距離を有する活動信号を選択することと、
２つ以上のエンティティに対応する前記活動信号が予め設定された期間未満の期間内に生成され、開閉の検出後に前記通常は閉じているドアからの予め設定された距離内で存在が検出されずに、警告をトリガすることと、
さらに備える、請求項１６および１７に記載の方法。
【請求項２０】
前記処理システムが警告をトリガする方法であって、
ネットワークを介してモバイルデバイスまたはデジタルデバイスに、信号、即時通信メッセージ、Ｅメール、自動電話音声、マルチメディアメッセージを含む、メッセージを送信することによって、受信ノードの３つの異なるグループに通知することと、
テナント、地主、資産所有者、および訪問者を含む、受信ノードの第１のグループのうちの、選択されたユーザに通知することと、
少なくとも１つの第１のユーザグループの資産を管理する管理者およびスタッフを含む、受信ノードの第２のグループのうちの、選択されたユーザに通知することと、
トリガされた警告を前記監視デバイスに送信することと、
トリガされた警告を前記処理システムのメモリに記録することと、
をさらに備える請求項１、１０、１１、１５、１７、１８、および１９に記載の方法。
【請求項２１】
前記処理システムが、トリガされた警告中に、第３の受信ノードとしての通信可能にリンクされたエレベータシステムに信号／データを送信することをさらに備え、
前記エレベータシステムが、前記警告信号を受信し、警告に関連する少なくとも１つの床面高さで、フロアに停止することおよび／またはエレベータドアのドアが開くことを回避する、請求項２０に記載の方法。
【請求項２２】
請求項１および１５に記載の方法を実施するためのシステムであって、
空間に配置されている少なくとも１つの監視デバイスと、
場所に配置されている１つまたは複数のビーコンと、
少なくとも１つの監視デバイスと通信可能にリンクされる処理システムと、
１つまたは複数のビーコンに通信可能にリンクされる前記処理システムと、
を備えるシステム。
【請求項２３】
建物内のエレベータシステムとの有線／無線通信リンクをさらに備える、請求項２２に記載のシステム。
【請求項２４】
少なくとも１つのユーザの識別エンティティ、少なくとも１つのユーザのモバイルデバイス、少なくとも１つのドアセンサ、少なくとも１つの電気デバイスとの、近距離無線通信リンクを介して、信号／データ転送を可能にする無線モジュールと、
センサ信号／データを受信するためのインタフェースと、
ＰＳＴＮ、ＬＡＮ、およびインターネット、を含むネットワークとリンクするための、内部搭載されたＲＪ４５または他のイーサネット（登録商標）ポートと、
予め設定された頻度に従って前記ネットワークを介して前記処理システムに信号を送信するパルサと、
存在の検出時に信号を生成する存在センサと、
屋内の環境属性データを収集する１つまたは複数の環境センサと、
データを処理する処理モジュールと、
データを記憶するメモリと、
少なくとも１つの中継スレーブと、
を備える、請求項２２に記載の監視デバイス。
【請求項２５】
近距離無線通信リンクを介して１つまたは複数のユーザのモバイルデバイスとペアリングすることと、
前記１つまたは複数のユーザのモバイルデバイスから送信される信号／データを受信することと、
セットバック環境属性を予め設定された頻度で前記処理システムから受信することと、
一日のうちのある期間にわたり有効な前記セットバック環境属性を前記処理システムから受信して前記メモリに記憶することと、
一日のうちの複数の期間にわたり有効な環境属性の設定値を前記ユーザのモバイルデバイスから受信して前記メモリに記憶することと、
センサ、前記少なくとも１つの中継スレーブ、およびユーザのモバイルデバイスから収集される信号／データを前記処理システムに送信することと、
を行うように構成された、請求項２４に記載の監視デバイス。
【請求項２６】
動きを検出する受動型赤外線センサと、画像を撮り込む光学センサと、のうちから選択された１つまたは複数の感知コンポーネントを備える、
請求項２４に記載の存在センサ。
【請求項２７】
前記収集される環境属性データが屋内温度である、デジタル温度感知モジュールまたはサーミスタと、
前記収集される環境属性データが空気中のガス濃度である、ガスセンサと、
前記収集される環境属性データが温水温度である、温水温度センサと、
前記収集される環境属性データが温水量である、温水量センサと、
前記収集される環境属性データが相対湿度である、湿度センサと、
前記収集される環境属性データが空気中の燃焼粒子の濃度である、煙センサと、
を備える、請求項５および２４に記載の環境センサ。
【請求項２８】
前記監視デバイスとペアリングして近距離無線通信リンクを確立することと、
一日のうちの複数の期間にわたり有効な環境属性の設定値を前記監視システムおよび前記処理システムに送信することと、
前記監視デバイスから送信される信号／データを受信することと、
建物または車両を含む場所に配置されているビーコンとペアリングすることと、
ビーコンの固有の識別子を受信することと、
前記ネットワークを介して前記処理システムから送信される信号／データを受信することと、
予め設定された頻度に従って地理位置を前記処理システムに送信することと、
ペアリング記録を前記処理システムに送信することと、
を行うように構成された、請求項２４および２５に記載のユーザのモバイルデバイス。
【請求項２９】
固有の識別子を備える少なくとも１つのビーコンが配置されている場所に関する質問をユーザに提供することと、
前記質問に対してユーザから提供される回答を前記メモリに記憶することと、
前記質問に対してユーザから提供される、テキストおよび／または音声による回答を、記録して前記処理システムに送信することと、
前記データおよび回答を分析してユーザ時間ログを取得することと、
前記ユーザ時間ログを前記処理システムに送信することと、
を行うようにさらに構成された、請求項２８に記載のユーザのモバイルデバイス。
【請求項３０】
ユーザのモバイルデバイス、スタッフデジタルデバイス、監視デバイス、およびビーコン、のうちの１つまたは複数からの情報受信の対話式処理を可能にする、前記プロセスおよびソフトウェアによって前記ネットワークに接続されている、コンピューティングおよびデータ処理能力を有する少なくとも１つのアプリケーションサーバと、
データ、ペアリング記録、および他の情報、を記憶するためのデータベースを備えるメモリと、
前記監視デバイス、ユーザのモバイルデバイス、およびスタッフデジタルデバイスに時刻を提供するクロック／タイマと、
を備える、請求項２２、２４、２５、２８、および２９に記載の処理システム。
【請求項３１】
前記パルサ、センサ、前記少なくとも１つの中継スレーブ、およびユーザのモバイルデバイスから送信された信号／データを、前記監視デバイスを介して受信することと、
前記地理位置およびペアリング記録を含む、ユーザのモバイルデバイスによって送信されるデータを受信することと、
前記通信可能にリンクされているエレベータシステムからの信号／データを受信することと、
建物内で動作する通信可能にリンクされているエレベータシステムに信号／データを送信することと、
一日のうちの複数の期間にわたり有効な環境属性の設定値を前記監視システムまたはユーザのモバイルデバイスから受信して前記メモリに記憶することと、
場所に配置された１つまたは複数のビーコンから収集されるデータを受信することと、
前記場所に関する質問をユーザに提供することと、
前記質問に対してユーザから提供される回答を前記メモリに記憶することと、
前記データおよび回答を分析してユーザ時間ログを取得することと、
前記ユーザ時間ログに基づいてセットバック環境属性を取得することと、
セットバック環境属性を予め設定された頻度で前記監視システムに送信することと、
一日のうちのある期間にわたり有効な前記セットバック環境属性を前記監視システムに送信することと、
を行うように構成された、請求項３０に記載の処理システム。
【請求項３２】
前記メモリがデータおよび情報を記憶するように構成され、前記データおよび情報が、
監視デバイスから送信される信号／データと、
居住者としてのユーザのモバイルデバイスから送信される情報であって、応答メッセージ、予め設定された頻度の地理位置、ユーザのモバイルデバイスに送られる質問に対するユーザの回答、ユーザの時間ログ、場所に配置されているビーコンの固有の識別子、ペアリング記録を含む、情報と、
訪問者としてのユーザのモバイルデバイスから送信される情報であって、応答メッセージ、ペアリング記録を含む、情報と、
場所の１つまたは複数の特性に関係する少なくとも１つの導出されるパターンと、
場所におけるユーザの典型的／平均的なリードタイム継続時間の、少なくとも１つの導出されるパターンと、
前記ユーザ時間ログに関連する１つまたは複数の予め設定されたしきい値と、
複数の期間を含む複数の予め設定されたしきい値と、
通常は閉じている選択された建物ドアに対応する複数の予め設定された移動期間と、
通信可能にリンクされている監視デバイスに関連する、居住者としてのユーザによって定義された１つまたは複数の訪問期間と、
通信可能にリンクされている監視デバイスに関連するセットバックおよび設定値の環境属性と、
を含む、請求項３０に記載の処理システム。
【発明の詳細な説明】
【技術分野】
【０００１】
本発明は、単体で独立している複合施設（テナントユニット、建物）としての生活空間（「空間」）において監視されている状態に応答するためのシステムおよび方法に関する。  関係ユーザは、テナント、管理スタッフ、訪問者、侵入者でありうる。  テナントは、近距離無線通信能力を有する識別エンティティを介して識別されるか、または、ユーザが携帯するモバイルデバイス（「ユーザモビリティ」）を介して識別され、このユーザモビリティは、デジタルセルラーシステム、パーソナル通信システム（「ＰＣＳ」）、強化型特殊移動無線（ｅｎｈａｎｃｅｄ  ｓｐｅｃｉａｌｉｚｅｄ  ｍｏｂｉｌｅ  ｒａｄｉｏ）（「ＥＳＭＲ」）、無線周波数（「ＲＦ」）ベースの追跡システム（Ｂｌｕｅｔｏｏｔｈ（登録商標）、ＷｉＦｉ、ＺｉｇＢｅｅ）などである。デジタルデバイス（「スタッフデジタルデバイス」）は、ユーザ空間（家屋、建物）をサービスする管理スタッフが携帯する。処理システムは、監視デバイス、ユーザのモバイルデバイス、スタッフデジタルデバイス、および複数のビーコン、のうちの少なくとも１つから受信される信号／データを処理する。
【背景技術】
【０００２】
空間では、通常、外出、帰宅、および在宅を含め、居住テナント（「居住者としてのユーザ」）の動的な日々の活動が行われている。この環境の他のユーザには、管理スタッフおよび訪問者が含まれる。侵入者が不法侵入することを防ぐには、ユーザが作動させる警報システム、閉回路テレビジョン（「ＣＣＴＶ」）監視、および管理スタッフによるパトロールが必要となってしまう。
【発明の概要】
【発明が解決しようとする課題】
【０００３】
本開示は、検出された状態が状態レベルを超えているときに信号／データを生成し送信する方法に関する。いくつかの状態下では、存在が検出されると、選択された受信ノードに警告が送信され、また、システムは、それに応答してエレベータの使用を制限する。
【０００４】
監視システムは一般に警報システムと関連があり、警報システムは通例、動物および不注意なユーザによって警報が誤って発報されるという未解決の問題を有する。反対に、警報システムは、ユーザが作動させることに依存し、そうでなければ実際の侵入に対して反応しない。ＣＣＴＶは、可能性のあるセキュリティ上の事件で資産管理スタッフに警告を送信することはできない。ＣＣＴＶは通例、記録するためのものである。その結果、空間への侵入に先立ちおよび侵入中に警告を送信する保証が効果的でなくなる。侵入者はまた、エレベータを都合よく使用し、異なる複数の建物領域内のテナントの安全を脅かす。未解決の問題として残るのは、警報を誤って発報することなく、監視空間への完全に許可された進入を保証するためのシステムを整備することである。
【０００５】
空間居住者は、空間内が「快適な」状態である何らかの状態を必要とする。選択されたシステムは、ユーザモビリティ上にデータが表示されることを可能にし、これらの状態の調整には、手動入力が要求される。これらの監視されている状態の調整を自動化することが理想的であろう。
【課題を解決するための手段】
【０００６】
本発明は、空間内の状態を監視し、ある状態が検出されたときに応答するための、システムおよび方法を提供する。ある状態は、侵入が検出されたときであり、あるシステム応答は、警告をトリガすることである。別の例示的な状態は、屋内温度であり、システム応答は、状態システムを介して、意図した状態に自動調整することを可能にする。
【０００７】
接続性が無効になることに対処するため、本システムは、予め設定されたアドレスにおよび頻度でクラウドベースの処理システムに信号／データを送信するためのパルサを備える。空間内にある本システムから処理システムへの信号が途絶されると、処理システムは、指定された関係者に警告を送信すると決定する。本システムの警告は、侵入の可能性および不法侵入という事件があるときまたはそれに先立ち、選択されたデバイス（ユーザモビリティおよびクライアントコンピュータを含む）にメッセージを送信することによる。
【０００８】
本システムは、居住者としてのユーザが空間に到着する時間を予測する学習能力を有する。ユーザモビリティが他の場所にあるとき、それらの場所を認識するため質問が送られる。警報動作が作動中に、予測されるユーザの到着時刻が同時進行している存在検出時刻よりも後である場合は、本システムは、警報を誤って発報する可能性を除外する。動作はまた、検出された侵入者が逃亡のためにエレベータを使用するのを防ぐことも含む。
【発明の効果】
【０００９】
空間の監視には、空間内および空間の周囲環境の存在状況を識別することを必要とする。本発明は、警報動作の作動および作動停止の自動化を含む。通例のシステムは、手動入力を必要とする。
【００１０】
空間状態は、多くのセンサを介して監視され、これらのセンサには、カメラ（ビデオ用）、マイクロフォン（オーディオ用）、受動型赤外線センサ（動き検出用）、および環境センサ（一酸化炭素センサ、温度センサ、湿度センサ、およびその他など）が含まれる。各種センサから同時進行で発生する信号／データが、処理ユニットによる処理のために監視デバイス（「ゲートウェイ」）によって収集されるか、または、クラウドベースの処理システム（アプリケーションサーバと、データベースを有するメモリとを備える）に、処理のために送信される。
【００１１】
信号／データを含む、ゲートウェイ出力ならびに処理システム出力を、他のデバイスまたはシステムに送信することによって、監視空間の状態を所望の状態に維持することができる。
【００１２】
図面は、本発明の実施形態を構成するものであり、装置の基礎構造および動作原理の説明に用いられる。
【図面の簡単な説明】
【００１３】
【図１】本システムの監視下にある建物の説明図である。
【図２】建物内を警報動作中に、対象ユーザに警告をトリガするシステムの説明図である。
【図３】離れた場所にいるユーザとシステムとの通信の説明図である。
【図４】システムの基礎構造の説明図である。
【図５】警報動作に関する方法を説明するフローチャートである。
【図６】時間ベースの経路追跡に基づく建物内の警報動作に関する方法を説明するフローチャートである。
【発明を実施するための形態】
【００１４】
本発明の例示的な実施形態について、以下に詳細に論じる。特定の例示的な実施形態について論じるが、これらは例証の目的を果たすに過ぎないことを理解されたい。
【００１５】
時間および場所ベースの監視および警報動作
図１に示すように、建物１００にはエレベータシステム１１０が設置されており、エレベータのかご１１３−１および１１３−２が、１階床面高さ１０１−０と、複数階の床面高さ１０１（床面高さ１０１−２を含む）との間を往復する。エレベータドア１１２−２−１および１１２−２−２が、床面高さ１０１−２に配置される。
【００１６】
ゲートウェイ１６８は、ユニット１０８−２内の存在を検出する存在センサ１６１−１および１６１−２、接続されている状態システム１９０のオン／オフモードに対応する信号／データをフィードバックするスレーブ１６４を含む、複数有するセンサによって送信される信号／データを受信するように構成され、またゲートウェイ１６８は、ドア１０４−２の開閉を検出するドアセンサ１２２−２−１、オン／オフ動作モードに対応する信号／データをフィードバックする空調装置としてのホームデバイス１９２、開閉を検出する金庫としての外部デバイス１９３を含む通信可能に接続されているデバイスから送信される信号／データを受信するように構成される。前記信号／データは、ゲートウェイ１６８によって受信され、通信ネットワーク１３０を介して処理システム１７０（アプリケーションサーバ１７１およびメモリ１７２を備える）に転送される。
【００１７】
制御ゲートウェイ１２０は、通信可能に接続されている複数のシステムおよびデバイスによって送信される信号／データを含む情報を受信するように構成される。これらのシステムおよびデバイスには、エレベータシステム１１０、床面高さ１０１−２に設置されている存在センサ１２１−２−１および１２１−２−２、ドアセンサ１２２−２−１および１２２−２−２、ビーコン１２３−２、ならびに、床面高さ１０１−０に設置されているビーコン１２３−０が含まれる。別の構成方法では、ゲートウェイ１６８および制御ゲートウェイ１２０は、無線ルータを備え、モビリティ１６６への直接接続を可能にする。この例では、ゲートウェイ１６８または制御ゲートウェイ１２０は、ＩＰアドレスをモビリティ１６６に送信する。ユーザ１８０が、アプリを介して自分のＷｉＦｉ  ＳＳＩＤおよびパスワードを入力して、ゲートウェイ１６８または制御ゲートウェイ１２０に接続する。セキュア暗号鍵が発行されて、セキュリティ保護されたペアリングが可能にされてよい。また、Ｂｌｕｅｔｏｏｔｈ（登録商標）ペアリング、直接ＵＳＢ接続、またはＤＴＭＦを使用してモビリティ１６６が構成されてもよい。
【００１８】
実施形態１では、居住者としてのユーザ１８０−１および１８０−３は、モビリティ１６６−１および識別エンティティ１６５をそれぞれ携帯する。居住者としてのユーザ１８０−１および１８０−３が、監視されているユニット１０８−２の外に出ることをきっかけに、ドア１０４−２が開くとドアセンサ１２２−２−１から信号が送信され、待合ロビー１０２−２における存在が検出されると存在センサ１２１−２−１から信号が送信される。ゲートウェイ１６８は、メッセージを送ることによって、居住者としてのユーザ１８０−１のモビリティ１６６−１からの応答メッセージを要求する。ゲートウェイ１６８は、居住者としてのユーザ１８０−１のモビリティ１６６−１から送信される近距離無線応答メッセージを受信しない。ある期間が経過し、予め設定された第１のしきい値を超えると、処理システム１７０は、警報動作が作動停止していることを確認し、ユニット１０８−２に関連する警報動作を作動させる。さらに、ゲートウェイ１６８は、警報動作の作動時に有線／無線信号を送信する。ここで、スレーブ１６４は、固有の識別子と、ゲートウェイ１６８から送信された有線／無線信号を受信する（図示しない）通信コンポーネントとを備える中継器であり、状態システム１９０をオフに切り替える。警報動作の作動中、モビリティ１６６−１からの応答メッセージがゲートウェイ１６８によって受信されない間に存在センサ１６１−１または１６１−２が存在を検出した場合、処理システム１７０は、警告をトリガし、居住者としてのユーザ１８０−１のモビリティ１６６−１と、スタッフ１８１のデジタルデバイス１６９とにメッセージを送信する。
【００１９】
実施形態２では、居住者としてのユーザ１８０−３は、識別エンティティ１６５を携帯し、ユニット１０８−２の外に出る。一方、居住者としてのユーザ１８０−１は、モビリティ１６６−１を携帯し、ユニット１０８−２に留まる。居住者としてのユーザ１８０−１のモビリティ１６６−１は、ゲートウェイ１６８によって送信された探索メッセージに応答して、予め設定された第１のしきい値の期間内に近距離無線メッセージを送信する。ユニット１０８−２に関連する警報動作は作動していない。
【００２０】
時間ベースの経路監視
図２に、場所２０３としての建物の一態様を示す。制御ゲートウェイ２２０は、場所２０３内に設置され動作する、複数の存在センサ２２１、ドアセンサ２２２、ビーコン２２３、および、エレベータシステム２１０と、通信可能に接続される。存在が検出された各ポイントは、クラウドサービスノードに位置する処理システム２７０によって採用される時刻（「時計時刻」）に対する、追跡されるユーザの通行経路を形成する。
【００２１】
実施形態３では、不法侵入者としてのユーザ２８０−４が、予め設定された第２のしきい値を超える期間にわたり待合ロビー２０２−１をうろついているのが、存在センサ２２１−２−１によって検出される。処理システム２７０は、受信ノードに警告を送信する。この警告には、予め設定された期間内にメッセージに応答して待合ロビー２０２−１に行くようスタッフ２８１に要求する、スタッフ２８１のデジタルデバイス２６９へのテキストメッセージと、ユニット２０８−１の唯一の居住者としてのユーザ２８０−１が携帯するモビリティ２６６−１に潜在的な事件を知らせるテキストメッセージと共に、エレベータシステム２１０への警告信号が含まれる。エレベータシステム２１０は、警告信号を受信し、予め設定された期間内に、エレベータのかごが床面高さ２０１−１に停止してエレベータドア２１２−２−１が開くのを回避する。スタッフ２８１のデジタルデバイス２６９は、警告を受信する期間が経過すると、ペアリング記録を処理システム２７０に送信するように構成される。このペアリング記録に、デジタルデバイス２６９とビーコン２２３−１との間のペアリングは含まれない。処理システム２７０は、（図示しない）建物管理者のクライアントコンピュータを含む受信ノードに、警告を送信する。
【００２２】
実施形態４では、不法侵入者としてのユーザ２８０−４が、待合ロビー２０２−０に到着し、床面高さ２０１−０、２０１−１、および２０１−２の階段領域を通行するのが、存在センサ２２１−０−２、２２１−１−２、および２２１−２−２によって連続的に検出される。ユーザ２８０−４が非常ドア２０５−２を開くことをきっかけに、時刻ｔ0でドアセンサ２２２−２−２が信号を送信し、ユーザ２８０−４は、待合ロビー２０１−２に入ったとき、時刻ｔ１で存在センサ２２１−２−１によって検出される。他方、ユニット２０８−２の居住者としてのユーザ２８０−１が、時刻ｔ0の直前に、エレベータドア２１２−２−１を通って待合ロビー２０１−２に入る。ユーザ２８０−１および２８０−４は、通常は閉じているドア２０４−２に向かって通行し、ｔ２で、ドア２０４−２が開くのを検出するとドアセンサ２２２−２−１が信号を送信する。ｔ３で、ドアセンサ２２２−２−１は、ドアが閉まるのを感知し、一方、存在センサ２２１−２−１は、待合ロビーが非存在であることを検出する。処理システム２７０は、ユニット２０８−２に入る、時間ベースの２つの別々のユーザ通行経路の信号／データを受信し、スタッフ２８１のデジタルデバイス２６９、ならびにユーザ２８０−１のモビリティ２６６−１に警告を送信する。
【００２３】
実施形態５では、（図示しない）建物の入口にいるスタッフ２８１は、時刻ｔ４で、ユニット２０８−２に行くよう、建物管理者によって要求される。しかし、期間Δｔｖ後の（予め設定された第３のしきい値（建物の入口からユニット２０８−２への移動に対応し、ドア２０４−２に対して特徴付けられた、メモリ２７２に記憶された予め設定された移動期間を構成する）を超える）時刻ｔ４以降に、処理システム２７０が、スタッフ２８１の追跡される通行経路に関連して受信する情報には、（１）床面高さ２０１−２におけるビーコン２２３−２とのペアリングを含まない、スタッフ２８１のデジタルデバイス２６９のペアリング記録、（２）制御ゲートウェイ２２０からの、存在センサ２２１−２−１が存在を検出してないこと、（３）制御ゲートウェイ２２０からの、ドア２０４−２が開くのをドアセンサ２２２−２−１が検出してないこと、が含まれる。処理システム２７０は、（図示しない）建物管理者のクライアントコンピュータを含めた複数の受信ノードに、警告を送信する。
【００２４】
実施形態６では、床面高さ２０１−１でトリガされた警告に関連する情報が、処理システム２７０からエレベータシステム２１０に送信される。ここで、エレベータシステム２１０は、この指令メッセージを受信し、床面高さ２０１−１でフロア停止することおよび／またはエレベータドア２１２−１−１を開くことを回避する。
【００２５】
図３に、環境３００の例示的な一実施形態を示す。環境３００は、所定の円形ジオフェンス（ｇｅｏ−ｆｅｎｃｅ）エリア３５０を含み、その半径は、監視される家３０８である計算された重心と、ジオフェンスエリア３５０のジオフェンス境界の最も遠い縁部との間の、最大オフセットに対応する。制御ゲートウェイ３２０が設置されている場所３０３は、ジオフェンスエリア３５２の外である。
【００２６】
実施形態７では、家３０８の唯一の居住者としてのユーザ３８０−２が携帯するモビリティ３６６−２が、現在の地理位置または全地球測位システム（「ＧＰＳ」）座標を、通信ネットワーク３３０を介して処理システム３７０に定期的に送信する。時刻ｔ１に、ユーザ３８０−２は、ジオフェンスエリア３５２内で、家３０８から離れた距離ｄ１のところにいる。時刻ｔ２に、ユーザ３８０−２は、ジオフェンスエリア３５１内で、家３０８から距離ｄ２のところにいる。
【００２７】
【数１】
2017513152.tif 000003
上式で、ｖは、ユーザ３８０−２の方向性速度である。
【００２８】
ユーザ３８０−２が家３０８に到着する時刻ｔａは、以下のとおりである。
ｔａ＝ｔｃ＋Δｔａ＋Δｔｌ
上式で、ｔｃは、現在時刻である。一方、リードタイム期間Δｔａは、下式を使用して予測することができる。
【００２９】
【数２】
2017513152.tif 000004
上式で、γは、１日の内の時刻、モビリティ３６６−２の固有の識別子、および、ユーザ３８０−２または家３０８の特性など、リードタイム期間Δｔａに影響を及ぼす不確実な前提条件に関連する予め設定されたファクタを表す。他の数学式、統計分析、および方法も、適切な場合には種々の局面で適合すると思われるであろうし、したがってそれらも、ユーザ３８０−２が家３０８に到着する時間ｔａの予測に適用することができる。
【００３０】
家３０８の居住者としてのユーザ３８０−２が携帯するモビリティ３６６−２は、場所３０３に到着し、ユーザ３８０−２のモビリティ３６６−２は、認識された無線通信リンクを発見して確立することによって、ビーコン３２３とのペアリングを確立する。一方、ユーザ３８０−２が場所３０３から出発するのに伴って通信リンクが範囲外になったとき、ペアリングは切断する。一実施形態では、ユーザ３８０−２のモビリティ３６６−２は、処理システム３７０のクロック／タイマ３７４の時刻を採用し、場所３０３における現在の地理位置、ペアリング記録（ペアリングおよびペアリング切断の、時刻ベースのデータと、ビーコン３２３の固有の識別子とを含む）を、通信ネットワーク３３０を介して処理システム３７０に送信する。別の可能性として、処理システム３７０は、この情報を制御ゲートウェイ３２０またはビーコン３２３から受信する。処理システム３７０は、ペアリング記録に従って、場所３０３におけるユーザ３８０−２の滞在期間を、クロック／タイマ３７４の時刻に対して、ユーザ３８０−２のリードタイム継続時間Δｔｌとしてメモリ３７２に記憶する。場所３０３は、住所を有する建物でもよいし、または、自動車や飛行機など、ネットワーク通信能力を有する移動車両でもよい。場所３０３の地理位置を識別するために、モビリティ３６６−２がアプリを介してマップを適用してよい。
【００３１】
ユーザ３８０−２が家３０８に到着すると、ユーザ３８０−２のモビリティ３６６−２は、無線ルータが装備されたゲートウェイ３６８とのペアリングを実施する。確立されたペアリングは、ユーザ３８０−２が家３０８に到着した時間ｔａとして、時刻に対してゲートウェイ３６８の（図示しない）メモリに記録され、処理システム３７０に送信される。処理システム３７０は、ユーザ３８０−２の到着時刻ｔａをメモリ３７２に記録する。
【００３２】
ユーザ３８０−２が家３０８に到着する時間ｔａを予測する精度を継続的に再保証するために、処理システム３７０は、ユーザ３８０−２と場所３０３との間の関係性について学習するための質問を送ることによって、ユーザ３８０−２のリードタイム継続時間Δｔｌを予測するための初等学習（ｏｎｂｏａｒｄｉｎｇ）プロセスを実施する。場所３０３に配置されたビーコン３２３とのペアリング後、ユーザ３８０−２のモビリティ３６６−２は、制御ゲートウェイ３２０および／またはビーコン３２３の固有の識別子を、以下の質問を含めた例示的な質問に関係付けることができる。
ここで何をしますか？
ここにどれくらいいるつもりですか？
ここの住所は？
【００３３】
上述した例示的な質問は、モビリティ３６６−２のアプリを介して提示されてよい。別の可能性として、モビリティ３６６−２は、オーディオ装置を介して質問を送り、ユーザ３８０−２は、
「私はクイーンズロード１２３のここで働いています」
などのテキスト返信をキー入力するか、または、回答を口頭で提供することができ、回答は音声認識技術を使用して処理される。処理は、モビリティ３６６−２上で行われてもよく、かつ／または、モビリティ３６６−２が返答を記録して通信ネットワーク３３０を介して送った後で、モビリティ３６６−２に結合されたリモートサーバ（例えば、クライアント−サーバアーキテクチャにおける、クラウドに位置する処理システム３７０）中で行われてもよい。
【００３４】
処理システム３７０は、ある期間にわたる場所３０３の特性に対する少なくとも１つのパターンを導出するようにプログラムされる。これらの特性は、場所３０３の住所、地理位置、ユーザ３８０−２との関係、ユーザ３８０−２の活動、ユーザ３８０−２の典型的／平均的なリードタイム継続時間Δｔｌ、ならびに、場所３０３を出発し家３０８に到着するまでのユーザ３８０−２の典型的／平均的なリードタイム期間Δｔａ、を含む。処理システム３７０には、処理コンポーネント（ハードウェアおよびソフトウェア）も装備されており、これらの処理コンポーネントは、対応するビーコン３２３から収集されるデータと、１つまたは複数のモビリティ３６６によって送信される、ユーザから提供される回答とに基づいて、複数の場所３０３の１つまたは複数の特性に関係する１つまたは複数のパターンを導出するための、速度およびデータ能力を有する。
【００３５】
場所３０３にあるユーザ３８０−２のモビリティ３６６−２は、アプリを介して、統計的な時間ログプロファイルを確定する。
ペアリング記録は、以下の通りである。
【００３６】
【表１】
2017513152.tif 000005
【００３７】
現在時刻ｔｃが２０１５年１月２４日の２１：２８であるとすると、ユーザ３８０−２のモビリティ３６６−２は、場所３０３のビーコン３２３の固有の識別子「ｆ７１２６ｄａ６−４ｆａ８」を受信し、アプリはデータを処理する。ユーザ３８０−２のモビリティ３６６−２は、電話機シリアル番号と、以下のような時間ログとを、処理システム３７０に送信する。
【００３８】
【表２】
2017513152.tif 000006
【００３９】
別法として、ユーザ３８０−２のモビリティ３６６−２は、表１に示されるデータを処理システム３７０に送信し、処理システム３７０は、データを処理して時間ログを取得する。この時間ログには、（１）場所３０３の住所、（２）ユーザ３８０−２の地理位置、（３）場所３０３におけるリードタイム継続時間Δｔｌ、（４）リードタイム期間Δｔａ、（５）ユーザ３８０−２の予測される到着時刻ｔａが含まれる。
【００４０】
実施形態８では、家３０８の唯一の居住者としてのユーザ３８０−１が携帯するモビリティ３６６−１は、ジオフェンスエリア３５０を越えて通行してジオフェンスエリア３５１に入るが、モビリティ３６６−１は、その地理位置を、予め設定された頻度で通信ネットワーク３３０を介して処理システム３７０に送信するように構成される。ユーザ３８０−１の時間ログが、予め設定された第４のしきい値を超え、処理システム３７０が、家３０８に関連する警報動作を作動させる。ゲートウェイ３６８は、警報動作が作動すると無線信号を送信し、ホームデバイス３９２が受信する。ここで、ホームデバイス３９２の動作モードがオンからオフに切り替わる。
【００４１】
存在センサ３６１が存在を検出したこと、または通常は閉じているドア３０４の開閉をドアセンサ３２２が検出したことに関連するセンサ信号／データを、ゲートウェイ３６８が収集した場合、ゲートウェイ３６８は、信号を処理システム３７０に送信する。処理システム３７０は、ユーザ３８０−１の時間ログが予め設定された第４のしきい値を超え、かつ現在の訪問期間が有効でないならば、すぐに警告をトリガする。あるいは、処理システム３７０は、ユーザ３８０−１の時間ログが予め設定された第４のしきい値未満であるか、または現在の訪問期間が有効であるならば、すぐに警告をトリガせず、ゲートウェイ３６８は、メッセージを送ることによって、居住者としてのユーザ３８０−１のモビリティ３６６−１に、または訪問者としてのユーザ３８０−２のモビリティ３６６−２に、応答メッセージを要求する。モビリティ３６６−１またはモビリティ３６６−２は、近距離無線応答メッセージを送信する。予め設定された第１のしきい値の期間内にゲートウェイ３６８が応答メッセージを受信することができない場合は、設定された警告トリガ条件が満たされて、処理システム３７０は警告をトリガする。
【００４２】
実施形態９では、家３０８の居住者としてのユーザ３８０−１が、訪問期間を確定する。この期間には、時刻に従って、開始日とある範囲の日々のうちの、各日における１つまたは複数の特定の期間を含む。モビリティ３６６−２を携帯する許可訪問者（「訪問者」）としてのユーザ３８０−２、および、識別エンティティ３６５を携帯する訪問者としてのユーザ３８０−３が、訪問期間中に家３０８を訪問することを許可される。これらの日々の間は通常、警報動作が無人の家３０８に対して作動している。家３０８内の存在センサ３６１が存在を検出した場合、ゲートウェイ３６８は、メッセージを送ることによって、上記の居住者としてのユーザ３８０−１のモビリティ３６６−１および／または訪問者としてのユーザ３８０−２のモビリティ３６６−２に、応答メッセージを要求する。ここで、居住者としてのユーザ３８０−１のモビリティ３６６−１の時間ログは、予め設定された第４のしきい値未満である。
【００４３】
処理システム３７０は、警告をトリガしないことになり、これには（１）モビリティ３６６−１によって近距離無線応答メッセージが送信されること、（２）モビリティ３６６−２または識別エンティティ３６５によって近距離無線応答メッセージが送信されることを含む。ここで、時刻は、訪問期間内である。家３０８を監視するゲートウェイ３６８は、収集された信号／データを受信して処理システム３７０に転送する。警報動作は作動停止される。
【００４４】
訪問期間が経過すると、ゲートウェイ３６８は、モビリティ３６６−２にメッセージを送るか、またはスピーカ３６２を介してオーディオメッセージを送って、家３０８を去るようユーザ３８０−２に要求する。また、ゲートウェイ３６８が、居住者としてのユーザ３８０−１のモビリティ３６６−１にメッセージを送って、これによって、経過した訪問期間の延長を要求することも可能である。
【００４５】
図４に、本発明のシステム４００の好ましい一実施形態のネットワーキング概略図を示す。
【００４６】
処理システム４７０は、インターネットアクセス可能なクラウドサービスノードに位置することができ、メモリ４７２と、デジタルプロセッサを搭載したアプリケーションサーバ４７１とを備え、通信ネットワーク４３０を介して信号／データを受信および再ルーティングすることによって建物４０３および／または家４０８を監視する。デバイスから送信される上述の信号／データを受信および処理するために、様々な市販のコンピュータサーバが、適切なソフトウェアと共に使用されて、処理システム４７０として機能することができる。無線デジタル警報データは、本明細書で論じられるさらに他の受信側に分散されるように、警告情報に処理されてもよい。警察、消防署、および／または救助隊など、緊急エンティティが警告情報を受信してもよい。
【００４７】
メモリ４７２は、システム４００のユーザまたは管理者に関連のある信号／データを記憶するための、磁気、光学、または固体メモリを含めた、任意のデバイスとすることができる。所定のジオフェンス境界、処理システム４７０とモビリティ４６６を伴うデジタルデバイス４６９との間のデータロギングを指示する一定頻度または可変頻度のポーリング間隔、ならびに、期間と距離の予め設定されたしきい値、のライブラリが、メモリ４７２に記憶され、アプリケーションサーバ４７１によって取り出される。メモリ４７２は、処理システム４７０と共にまたは処理システム４７０内で働くクラウドサービスノードに位置してもよく、または、他のサービスノード（家４０８もしくは建物４０３のノード、ユーザモビリティ４６６もしくはスタッフデジタルデバイス４６９を構成するノードなど）に位置してもよい。
【００４８】
地理位置システム４６０は、地上または衛星ベースの測位システムであり、北斗（Ｂｅｉｄｏｕ）ナビゲーションシステム、ディファレンシャルＧＰＳ（「ＤＧＰＳ」）、Ｅｕｒｏｆｉｘ  ＤＧＰＳ、全地球測位システム（「ＧＰＳ」）、全地球ナビゲーション衛星システム（「ＧＮＳＳ」）を含む。他の測位システムでは、地理位置システム４６０は、セルラー通信塔、または、基準ポイントを提供するシステムを含み、この基準ポイントは、ユーザモビリティ４６６およびスタッフデジタルデバイス４６９によって受信される無線周波数（「ＲＦ」）信号／データを送信する。
【００４９】
識別エンティティ４６５は通常、集積回路（「ＩＣ」）カードであり、このＩＣカードは、バッテリと、固有の識別子を記憶するためのメモリと、近距離無線通信リンクを介して固有の識別子を含む無線信号を制御ゲートウェイ４２０およびゲートウェイ４６８に送信するための送信機と、を備える。典型的な近距離通信プロトコルは、Ｂｌｕｅｔｏｏｔｈ（登録商標）、ＷｉＦｉ（ＩＥＥＥ８０２．１１ｂ）、ＷｉＭａｘ（ＩＥＥＥ８０２．１６）、およびＺｉｇＢｅｅ（ＩＥＥＥ８０２．１５．４）を含む。
【００５０】
通信ネットワーク４３０は、セルラー遠隔通信システムおよびインターネットなど、無線と陸線通信基礎構造の組合せを使用し、これは、ブロードバンド、ＷｉＭａｘ、固定回線ＰＳＴＮなどを含む。通信は、ＴＣＰ／ＩＰ通信チャネルを処理システム４７０に提供するモデムなど、様々な媒体を介して確立されてよい。
【００５１】
通信ネットワーク４３０は、処理システム４７０とテレマティックスデバイスとの間の双方向データロギングを提供する。ここで、処理システム４７０は、無線デジタル警報データを、フォーマット化されたテキストメッセージで、複数のユーザモビリティ４６６およびスタッフデジタルデバイス４６９に送信する。これらのデバイスは、ＳＭＳタイプのデータまたは任意の無線デジタルデータを受信できる任意のデバイスとすることができ、デジタルセルラー電話機、ページャ、パーソナル通信システム（「ＰＣＳ」）、強化型特殊移動無線（「ＥＳＭＲ」）、無線電子メール受信機（例えば、Ｂｌａｃｋｂｅｒｒｙ（登録商標）およびＴｒｅｏ（登録商標）デバイス）、マルチメディアインターネット対応セルラー電話機（例えばｉＰｈｏｎｅ（登録商標））、ＧＰＳ受信機、ならびに類似のパーソナル電子デバイス（プログラム可能プロセッサおよびメモリと、有線／無線ネットワークに接続できる通信送受信機とを備える）を含む。さらに、デジタルデバイス４６９はまた、コンピューティング能力を有する、ネットワークにリンクされる電子デバイスも含み、これは、マイクロコンピュータ、インターネットサーバ、ＰＳＴＮのポータブルクライアントデバイス、または、敷地の所有者もしくは代理人のＥメールアカウントを操作する静的デバイス、などである。警報ユーザは、モビリティ４６６上およびデジタルデバイス４６９上で、警告通知を受信することができる。制御ゲートウェイ４２０およびゲートウェイ４６８はまた、近距離無線通信プロトコルを使用して、モビリティ４６６およびデジタルデバイス４６９と通信するように構成される。
【００５２】
建物４０３内で、制御ゲートウェイ４２０は、通信リンクを介してエレベータシステム４１０と通信し、ネットワークポートを介して通信ネットワーク４３０とリンクする。制御ゲートウェイ４２０は、通信可能にリンクされたセンサおよびデバイスの固有の識別子を記憶したメモリを備え、これらのセンサおよびデバイスには、存在センサ４２１、家４０８の通常は閉じている入口ドアに配置されたドアセンサ４２２、ビーコン４２３を含む。
【００５３】
ゲートウェイ４６８は、メモリに記憶された固有の識別子と、通信コンポーネントとを備え、この通信コンポーネントは、モビリティ４６６や識別エンティティ４６５との近距離無線通信のための（図示しない）無線モジュール、複数の異なるコンポーネント（ドアセンサ４２２、ホームデバイス４９２、および外部デバイス４９３を含む）との有線／無線通信などである。ＲＪ４５またはイーサネット（登録商標）ポートは、通信ネットワーク４３０とのリンクのために、ゲートウェイ４６８内に搭載されてもよい。（図示しない）単一の住宅が、少なくともゲートウェイ４６８、存在センサ４６１、スピーカ４６２、環境センサ４６３、スレーブ４６４、およびパルサ４６７を含むことができる。
【００５４】
ビーコン４２３は、近距離無線送受信機、または、有線／無線ネットワーク接続性を有するアクセスポイント、を含み、ビーコン４２３は、メモリに記憶され、処理システム４７０によって識別可能な固有の識別子と、複数の識別エンティティ４６５、モビリティ４６６、およびデジタルデバイス４６９との近距離無線通信のための無線モジュールと、ＬＡＮを介して制御ゲートウェイ４２０と接続するためのネットワークポートと、インターネット接続されたルータに接続するためのネットワークポートと、を備える。
【００５５】
処理システム４７０は、存在が検出されたときに存在センサ４６１から送信される有線／無線信号／データを、ゲートウェイ４６８を介して受信し、また、建物４０３内で存在が検出されたときに存在センサ４２１から送信された有線／無線信号／データを、制御ゲートウェイ４２０を介して受信する。例示的な一実施形態では、存在センサ４２１および存在センサ４６１は、通信コンポーネントと、メモリに記憶された固有の識別子と、受動赤外線（「ＰＩＲ」）受信機、および／または、画像を取り込んで取込み画像を送信するための画像取込みデバイスとを備え、画像取込みデバイスを備える場合は、処理システム４７０は、少なくとも１つの画像処理方法を使用して存在を検出する。
【００５６】
一実施形態では、外部デバイス４９３は、倉庫または金庫など、通常は閉じているエンティティであり、メモリに記憶されている固有の識別子と、開閉時に有線／無線信号をゲートウェイ４６８に送信するための通信コンポーネントとを有する。固有の識別子を備えるスレーブ４６４は、（図示しない）通信コンポーネントを有する中継器であり、この通信コンポーネントは、ゲートウェイ４６８から送信される有線／無線信号／データを受信して、状態システム４９０のオン／オフモードの制御のために電力を接続および切断し、状態システム４９０のオン／オフモードに関連するフィードバック信号／データをゲートウェイ４６８に送信する。
【００５７】
パルサ４２７は、固有の識別子を含むパルス状の有線／無線信号／データを、通信ネットワーク４３０を介して処理システム４７０に送信する。パルサ４２７は、独立したコンポーネントであってもよく、または、ゲートウェイ４６８／制御ゲートウェイ４２０に組み込まれたソフトウェアアプリであってもよい。
【００５８】
処理システム４７０は、選択された信号／データを、エレベータシステム４１０の（図示しない）制御ユニットとの通信リンクを介して送って、建物４０３内の稼働しているエレベータ（図示せず）の停止および／またはドア開閉を無効にする。
【００５９】
家の警報動作
本発明の一態様では、処理システム４７０は、ゲートウェイ４６８、モビリティ４６６、識別エンティティ４６５から送信された信号／データを受信および処理して、１組の基準に基づく確定された警報ポリシに準拠して警報動作の作動および作動停止を決定し、家４０８内で警告トリガ条件が満たされたと決定し、警告トリガプロセスに従って警告情報を受信ノードに送信する。図５に方法５００を示すが、方法５００は以下のステップを含む。
【００６０】
ステップ５０１
警報動作ポリシ、警報動作作動および作動停止ポリシ、警告トリガポリシが、管理者によって確定され、警報ポリシとして処理システム４７０に記憶される。処理システム４７０と他のノードとの間で送受信される信号／データの交換のために、データロギングが確立される。これら他のノードには、（１）家４０８の居住者としてのユーザまたは訪問者としてのユーザのモビリティ４６６、（２）スタッフデジタルデバイス４６９、（３）家４０８を監視するゲートウェイ４６８を含む。
【００６１】
ステップ５０２
プリングイベントの検出。プリングイベントには、（１）ドアセンサ４２２が、家４０８の通常は閉じている入口ドアの開閉を検出すること、（２）制御ゲートウェイ４２０が、建物４０３の共用領域でモビリティ４６６／識別エンティティ４６５を検出すること、（３）モビリティ４６６が有する居住者としてのユーザの最小の時間ログが、予め設定された第４のしきい値を超えること、（４）訪問期間の経過、を含む。
【００６２】
ステップ５０３
ゲートウェイ４６８は、プリングイベント時に、少なくとも１つのユーザモビリティ４６６に応答メッセージを要求するメッセージを送る。ゲートウェイ４６８がユーザモビリティ４６６から送信された応答メッセージを予め設定された第１のしきい値の期間内に受信しない場合は、ステップ５０４に進む。そうでない場合は、監視プロセスを継続するためにステップ５０１に進む。
【００６３】
ステップ５０４
処理システム４７０は、警報動作を作動させることによってシステムを作動状態にする。処理システム４７０は、ゲートウェイ４６８から送信される、複数のセンサ／デバイスに関連する信号／データを受信することによって家４０８を監視し、居住者としてのユーザのモビリティ４６６の現在のまたは最後に受信した地理位置を検証し、時間ログを予測する。
【００６４】
ステップ５０５
プッシングイベントの検出。プッシングイベントには、１．ドアセンサ４２２が、家４０８の通常は閉じている入口ドアの開閉を検出すること、２．存在センサ４６１が家４０８における存在を検出すること、３．モビリティ４６６が有する居住者としてのユーザの最小の時間ログが、予め設定された第４のしきい値を下回ること、４．居住者としてのユーザが、モビリティ４６６を介して、経過した訪問期間の延長を許可すること、５．ゲートウェイ４６８が、居住者としてのユーザまたは訪問者としてのユーザのモビリティ４６６とのペアリングを検出すること、を含む。
【００６５】
ステップ５０６
ゲートウェイ４６８が、プッシングイベント時に、または、関連する時間ログに対応する到着予測時間ｔａの期間内に、ユーザモビリティ４６６に応答メッセージを要求するメッセージを送る。ゲートウェイ４６８が、居住者としてのユーザのモビリティ４６６から送信されたメッセージ、または訪問者としてのユーザのモビリティ４６６に対応するメッセージを、訪問期間内で、かつ予め設定された第１のしきい値の時間内に受信した場合は、ステップ５０７に進む。そうでない場合は、ステップ５０８に進む。
【００６６】
ステップ５０７
処理システム４７０が、警報動作を作動停止することによってシステムの作動状態を解除する。ステップ５０１に進み、監視プロセスが継続する。
【００６７】
ステップ５０８
処理システム４７０は、家４０８に対する警告トリガプロセス指令を実行し、受信ノード（居住者としてのユーザのモビリティ４６６、および／またはスタッフデジタルデバイス４６９を含む）に情報を送信する。
【００６８】
建物環境の警報動作
本発明における、ユニット４０８を含む建物４０３を監視する方法は、処理システム４７０が、制御ゲートウェイ４２０、ならびに、モビリティ４６６および建物４０３に関係するユーザのデジタルデバイス４６９によって送信された信号／データを受信することを含む。処理システム４７０は、確定された警報ポリシに従って情報を処理して、警告トリガ条件が満たされたと決定し、警告トリガプロセスに従って警告を受信ノードに送信する。図６に、警報動作に関する方法６００のフローチャートを示す。方法６００は以下のステップを含む。
【００６９】
ステップ６０１
警報動作ポリシ、警告トリガポリシは、管理者が確定し、警報ポリシとして処理システム４７０に記憶される。処理システム４７０と他のノードとの間で送受信される信号／データの交換のために、データロギングが確立される。これら他のノードには、（１）ユニット４０８の居住者としてのユーザが携帯するモビリティ４６６、（２）スタッフデジタルデバイス４６９、（３）建物４０３内の制御ゲートウェイ４２０、（４）建物４０３内で動作するエレベータシステム４１０、を含む。
【００７０】
ステップ６０２
処理システム４７０は、複数の存在センサ４２１およびドアセンサ４２２、ユーザモビリティ４６６、または訪問者の識別エンティティ４６５から送信される信号／データ、ならびにエレベータシステム４１０から受信される信号／データを処理することによって、ユーザ通行経路を追跡する。受信される信号／データが設定済みの警告トリガ条件を満たす場合は、ステップ６０４に進む。そうでない場合は、監視プロセスを継続するためにステップ６０３に進む。
【００７１】
ステップ６０４
処理システム４７０は、警告トリガプロセスを実行し、スタッフデジタルデバイス４６９、および特定のユニット４０８の居住者としてのユーザのモビリティ４６６に情報を送信する。
【００７２】
ステップ６０５
処理システム４７０は、建物４０３の警告トリガプロセスの指令を実行する。
【００７３】
Ａ．警報ポリシの確立
家４０８の警報ポリシ
居住者としてのユーザは、警報ポリシを設定すること、時間制約なしに家４０８に入って滞在することが許可される。訪問者としてのユーザは、各訪問期間中に、日付および範囲に関する予め設定された時間制約付きで、家４０８に入って滞在することが許容される。許可制限は管理者によってすべてのユーザに対して設定されるが、管理スタッフとしてのユーザおよび訪問者としてのユーザは、このような権限を有しない。
【００７４】
建物４０３の警報ポリシ
管理者は、建物４０３に対する警報ポリシを確定する。この警報ポリシには、情報処理手順および優先、修正、削除、などの基準を含む。警報動作プロセスにおいて、すべてのユーザに関連する通行経路は、確定した警報ポリシに従って予め設定された時間制約に準拠しなければならない。
【００７５】
Ｂ．警報動作の作動および作動停止
家４０８の警報動作
居住者としてのユーザは、ポリシ条件を確定することができる。ゲートウェイ４６８から受信される信号／データが以下の条件の１つまたは複数を満たすとき、処理システム４７０は、ステップ５０２で警報動作を作動させる決定をする。
【００７６】
プリングイベントが検出されると、ゲートウェイ４６８  ４７０は、居住者としての１人または複数の選択されたユーザのモビリティ４６６に応答メッセージを要求するメッセージを送る。
【００７７】
ゲートウェイ４６８がプッシングイベント時に予め設定された第１のしきい値の期間内に応答メッセージを受信した後、警報動作は作動停止される。応答メッセージには、（１）居住者としてのユーザのモビリティ４６６／識別エンティティ４６５が送信する信号／データ、（２）訪問者としてのユーザのモビリティ４６６／識別エンティティ４６５が送信する信号／データ、を含む。ここで、現在の時刻は、居住者としてのユーザまたは管理者が確定した訪問期間内である。
【００７８】
建物４０３の警報動作
建物４０３に関連する警報動作の作動および作動停止は、処理システム４７０による管理権限を介して実行することができる。
【００７９】
Ｃ．警告トリガポリシの確立
家４０８の警告トリガ条件
警報動作の作動中の任意の時点で検出される存在、ただし、前述の応答メッセージは、予め設定された第１のしきい値の期間内にゲートウェイ４６８によって受信されない。
【００８０】
建物４０３の警告トリガ条件
警告トリガ条件には、（１）建物４０３内の任意の特定の場所で検出された存在の継続時間が、予め設定された第２のしきい値を超えること、（２）建物４０３内の特定のユニット４０８に関連するドアセンサ４２２が、予め設定された第３のしきい値の期間内に開閉を検出しないこと、（３）スタッフデジタルデバイス４６９のペアリング記録が、特定の時刻の予め設定された期間内に１つまたは複数のビーコン４２３とのペアリングを含まないこと、（４）２つの追跡されるユーザ通行経路が、建物４０３内に位置する１つのユニット４０８に入るために合流すること、を含む。
【００８１】
警告トリガポリシ
警告トリガプロセスには、（１）処理システム４７０が、モビリティ４６６またはデジタルデバイス４６９への即時通信メッセージを介して、ユーザに通知すること、（２）Ｅメールを介した通知、（３）自動電話音声を介した通知、（４）マルチメディアメッセージを介した通知、（５）サイレンの作動化、（６）処理される警告トリガをメモリ４７２に記録すること、を含む。
【００８２】
一実施形態では、警告トリガ条件は、警報動作が作動停止中に満たされる。警告トリガ条件には、（１）ドアセンサ４２２が、家４０８の通常は閉じている入口ドアの開閉を検出し、外部デバイス４９３（センサと信号送信機とを備える安全な倉庫を含む）が、予め設定された第５のしきい値よりも短い期間内に、開閉に関連する信号を、通信可能に接続されているゲートウェイ４６８に送信すること、（２）パルサ４６７が、処理システム４７０への信号送信の確認のために予め設定された頻度で有線／無線信号／データをゲートウェイ４６８に定期的に送信するように構成されているが、信号／データが途絶されること、を含む。
【００８３】
以下の実施形態は、受信されるセンサデータに対して出力するシステム４００を含む方法に関する。図４で、ゲートウェイ４６８は、環境センサ４６３からデータを定期的に収集する。環境センサ４６３は、監視される家４０８の屋内温度として、状態システム４９０に制御される環境属性を検出する温度センサである。ここで、状態システム４９０は特に、別個の集中型の暖房換気空調（「ＨＶＡＣ」）システムである。警報動作が作動停止中に状態システム４９０があるべき状態は、「快適な」状態としてユーザによって選ばれた、暖められるかまたは空調される部屋やアパートや家屋の設定値温度になっていることである。一方、警報動作が作動中に状態システム４９０があるべき状態は、エネルギー節約のためにセットバック温度になっていることである。他の可能性として、環境センサ４６３は、屋内の相対湿度を検出する湿度センサ、一酸化炭素または他のガスを検出するガス検出器、煙を検出する煙検出器、湯の温度および量を検出するマルチセンサなどとすることができる。一方、状態システム４９０は、温水ヒータ、加湿器、サイレン、電気車両のエネルギーストレージなどがある。
【００８４】
警報動作の作動中、ゲートウェイ４６８は、環境センサ４６３から収集される環境属性データを、メモリに記憶され処理システム４７０から送信される効果的なセットバック環境属性と比較するか、または、ゲートウェイ４６８は、収集される環境属性データを、効果的なセットバック環境属性よりも上／下かを決定するために処理システム４７０に送信し、指令信号を受信する。ゲートウェイ４６８は、対応する信号をスレーブ４６４に送信する。スレーブ４６４は、電力接続および／または切断によって、状態システム４９０をオン／オフに切り換える。ゲートウェイ４６８は、メモリに記憶されているセットバック環境属性を保持しており、これを、処理システム４７０によって送信される新しい効果的なセットバック環境属性で置き換える。処理システム４７０は、モビリティ４６６を携帯する居住者としての少なくとも１人のユーザの時間ログに従って、効果的な環境属性を予測または算出する。セットバック環境属性は、モビリティ４６６を介してユーザに対して示されてよい。一方、スレーブ４６４がオンにトリガされた場合、ゲートウェイ４６８は、フィードバック信号／データを処理システム４７０に送信することができる。
【００８５】
別の実施形態は、状態システム４９０のあるべき状態をシステム４００のセンサデータに基づいて維持する方法を含む。警報動作の作動中、午後６：００に、環境センサ４６３のデータは１６℃である。ゲートウェイ４６８は、メモリに記憶されているセットバック温度１６℃を、処理システム４７０から送信される効果的なセットバック温度２２℃で置き換え、信号をスレーブ４６４に送信する。スレーブ４６４は、到着するユーザのために状態システム４９０をオン状態に切り替える。家４０８の屋内温度は、午後６：３０に２２℃に達する。数分後、警報動作は作動停止され、到着したユーザのために設定値温度２３℃が状態システム４９０によって維持される。ユーザは、午後１０：３０〜午前７：００の期間にわたる設定値温度１９℃を、ゲートウェイ４６８を介して処理システム４７０に送信する。
【００８６】
午後１０：３０に、ゲートウェイ４６８は、そのメモリから、処理システム４７０から送信された記憶済みの設定値温度１９℃を取り出す。１９℃は、環境センサ４６３から送信された温度２３℃よりも低く、ゲートウェイ４６８は、状態システム４９０を作動停止するために信号をスレーブ４６４に送信する。
【００８７】
別の実施形態では、（１）警報動作の作動中に、ドアセンサ４２２が、家４０８の通常は閉じている入口ドアの開閉を検出すること、（２）一日のうちのある時間帯の間に、ゲートウェイ４６８が有線／無線信号を送信すること、（３）ホームデバイス４９２が、有線／無線信号を受信し、入口ドアが開かれる前に、またはユーザが家４０８のいずれかの領域に物理的もしくは視覚的に現れる前に、ユーザ識別に従って、オンに切り替わって設定強度または動作強度になること、を含む。１つの可能性として、ホームデバイス４９２は、予測された到着時刻ｔａを通じて識別されるユーザが入ってくる際にユーザに合うようにその場を明るくする照明器具である。別の方法として、ゲートウェイ４６８は、警報動作状況にかかわらず、時刻が一日のうちのある期間内にある限り、信号をホームデバイス４９２に送信する。
【００８８】
本明細書で提示される実施形態は例示に過ぎず、したがってこれらの実施形態の態様は、特許請求の範囲において定義される本発明の趣旨および範囲を逸脱することなく変動する可能性があることを、当業者なら認めるであろう。
【図１】
2017513152.tif 000007
【図２】
2017513152.tif 000008
【図３】
2017513152.tif 000009
【図４】
2017513152.tif 000010
【図５】
2017513152.tif 000011
【図６】
2017513152.tif 000012
【国際調査報告】
2017513152.tif 000013
2017513152.tif 000014